(57)【要約】  本発明はリモコンをバインディングする処理方法、装置及びデバイスに関する。当該方法は、リモコンがバインディング操作命令を取得するステップと、前記リモコンがバインディング対象の被遠隔制御デバイスに前記リモコンの識別情報を含むバインディング要求を送信して、現在バインディング対象の前記被遠隔制御デバイスに前記バインディング要求に基づいてバインディング応答メッセージを生成させるステップであって、前記バインディング応答メッセージが前記リモコンとバインディングするための認証情報を含むステップと、前記リモコンが前記被遠隔制御デバイスから返送された前記バインディング応答メッセージを受信するステップと、前記リモコンが前記バインディング応答メッセージに基づいて前記被遠隔制御デバイスとの制御操作機能のバインディングを完成するステップと、を含む。リモコンがユーザの操作に基づいて被遠隔制御デバイスにバインディング要求を送信し、情報インタラクションによってリモコンと被遠隔制御デバイスとのバインディングを実現し、同じリモコンと複数のデバイスとのバインディングを実現でき、統合制御を行うことができる。これによって、複数のリモコンを利用する場合に、対応するリモコンをすばやく決められないことを回避でき、ユーザ体験を向上することができる。
2018509784.tif 000002
【特許請求の範囲】
【請求項１】
リモコンがバインディング操作命令を取得するステップと、
前記リモコンがバインディング対象の被遠隔制御デバイスに前記リモコンの識別情報を含むバインディング要求を送信して、現在バインディング対象の前記被遠隔制御デバイスに前記バインディング要求に基づいてバインディング応答メッセージを生成させるステップであって、前記バインディング応答メッセージが前記リモコンとバインディングするための認証情報を含むステップと、
前記リモコンが前記被遠隔制御デバイスから返送された前記バインディング応答メッセージを受信するステップと、
前記リモコンが前記バインディング応答メッセージに基づいて前記被遠隔制御デバイスとの制御操作機能のバインディングを完成するステップと
を含むことを特徴とするリモコンをバインディングする処理方法。
【請求項２】
前記リモコンがバインディング操作命令を取得するステップは、
前記リモコンが、ユーザがバインディングキーを押す旨の操作命令を前記バインディング操作命令として検出するサブステップ、または、
前記リモコンが、ユーザが前記リモコンを振る旨の操作命令を前記バインディング操作命令として検出するサブステップを含むことを特徴とする請求項１に記載の処理方法。
【請求項３】
前記リモコンがバインディング対象の被遠隔制御デバイスに前記リモコンの識別情報を含むバインディング要求を送信することは、
前記リモコンがブルートゥースを介して前記リモコンの識別情報を含む前記バインディング要求をブロードキャスト送信することを含み、
前記バインディング応答メッセージは、前記被遠隔制御デバイスにより生成されたブルートゥースペアリング情報を含むことを特徴とする請求項１に記載の処理方法。
【請求項４】
前記リモコンがユーザの操作に基づいて前記被遠隔制御デバイスに対して遠隔制御操作を行うステップを更に含むことを特徴とする請求項１〜３のいずれか一つに記載の処理方法。
【請求項５】
前記リモコンがユーザの操作に基づいて前記被遠隔制御デバイスに対して遠隔制御操作を行った後、
前記リモコンがバインディング解除操作命令を取得するステップと、
前記リモコンがバインディングされた被遠隔制御デバイスに前記リモコンの識別情報を含む第一バインディング解除要求を送信し、現在バインディングされた前記被遠隔制御デバイスに前記リモコンとのバインディング関係を解除させてバインディング解除応答メッセージを生成させるステップと、
前記リモコンが前記被遠隔制御デバイスからの前記バインディング解除応答メッセージを受信するステップと、
を更に含むことを特徴とする請求項４に記載の処理方法。
【請求項６】
前記リモコンがユーザの操作に基づいて前記被遠隔制御デバイスに対して遠隔制御操作を行った後、
前記リモコンが前記被遠隔制御デバイスからの第二バインディング解除要求を受信するステップであって、前記第二バインディング解除要求が前記被遠隔制御デバイスによりユーザのバインディング解除操作命令が検出された後に送信されたものであるステップと、
前記リモコンが前記第二バインディング解除要求に基づいて、前記被遠隔制御デバイスとのバインディング関係を解除するステップと
を更に含むことを特徴とする請求項４に記載の処理方法。
【請求項７】
被遠隔制御デバイスがリモコンからの前記リモコンの識別情報を含むバインディング要求を受信するステップと、
前記被遠隔制御デバイスが前記バインディング要求に基づいて、バインディング応答メッセージを生成するステップであって、前記バインディング応答メッセージが前記リモコンとバインディングするための認証情報を含むステップと、
前記被遠隔制御デバイスが前記リモコンに前記バインディング応答メッセージを送信して、前記リモコンに前記バインディング応答メッセージに基づいて前記被遠隔制御デバイスとの制御操作機能のバインディングを完成させるステップと
を含むことを特徴とするリモコンをバインディングする処理方法。
【請求項８】
前記被遠隔制御デバイスがリモコンからの前記リモコンの識別情報を含むバインディング要求を受信するステップは、
前記被遠隔制御デバイスが、前記リモコンによりブルートゥースを介してブロードキャストされた前記リモコンの識別情報を含む前記バインディング要求を受信するサブステップを含み、
前記バインディング応答メッセージは、前記被遠隔制御デバイスにより生成されたブルートゥースペアリング情報を含むことを特徴とする請求項７に記載の処理方法。
【請求項９】
前記被遠隔制御デバイスが前記リモコンからの操作要求を受信し、前記操作要求に基づいて対応する操作を実行するステップを更に含むことを特徴とする請求項７または８に記載の処理方法。
【請求項１０】
前記被遠隔制御デバイスが前記リモコンからの前記リモコンの識別情報を含む第一バインディング解除要求を受信するステップと、
前記被遠隔制御デバイスが前記第一バインディング解除要求に基づいて、前記リモコンとのバインディング関係を解除してバインディング解除応答メッセージを生成するステップと、
前記被遠隔制御デバイスが前記バインディング解除応答メッセージを前記リモコンに送信するステップと
を更に含むことを特徴とする請求項９に記載の処理方法。
【請求項１１】
前記被遠隔制御デバイスがユーザのバインディング解除操作命令を検出するステップと、
前記被遠隔制御デバイスが前記バインディング解除操作命令に基づいて第二バインディング解除要求を生成するステップと、
前記被遠隔制御デバイスが前記第二バインディング解除要求を前記リモコンに送信して、前記リモコンとのバインディング関係を解除させるステップと、
を更に含むことを特徴とする請求項９に記載の処理方法。
【請求項１２】
リモコンバインディング用処理装置において、
バインディング操作命令を取得するように構成された取得モジュールと、
バインディング対象の被遠隔制御デバイスに前記リモコンバインディング用処理装置の識別情報を含むバインディング要求を送信して、現在バインディング対象の前記被遠隔制御デバイスに前記バインディング要求に基づいてバインディング応答メッセージを生成させるように構成された送信モジュールであって、前記バインディング応答メッセージが前記リモコンバインディング用処理装置とバインディングするための認証情報を含む送信モジュールと、
前記被遠隔制御デバイスから返送された前記バインディング応答メッセージを受信するように構成された受信モジュールと、
前記バインディング応答メッセージに基づいて前記被遠隔制御デバイスとの制御操作機能のバインディングを完成するように構成された第一処理モジュールと
を含むことを特徴とするリモコンバインディング用処理装置。
【請求項１３】
前記取得モジュールは、
ユーザがバインディングキーを押す旨の操作命令を前記バインディング操作命令として検出するように構成された第一検出ユニット、または、
ユーザが前記リモコンを振る旨の操作命令を前記バインディング操作命令として検出するように構成された第二検出ユニット
を含むことを特徴とする請求項１２に記載の装置。
【請求項１４】
前記送信モジュールは、ブルートゥースを介して前記リモコンバインディング用処理装置の識別情報を含む前記バインディング要求をブロードキャスト送信するように構成されたブルートゥース通信ユニットを含み、
前記受信モジュールにより受信された前記バインディング応答メッセージは、前記被遠隔制御デバイスにより生成されたブルートゥースペアリング情報を含むことを特徴とする請求項１２に記載の装置。
【請求項１５】
ユーザの操作に基づいて前記被遠隔制御デバイスに対して遠隔制御操作を行うように構成された第二処理モジュールを更に含むことを特徴とする請求項１２〜１４のいずれか一つに記載の装置。
【請求項１６】
前記取得モジュールは、バインディング解除操作命令を取得するように構成された第一取得ユニットを更に含み、
前記送信モジュールは、バインディングされた被遠隔制御デバイスに前記リモコンバインディング用処理装置の識別情報を含む第一バインディング解除要求を送信し、現在バインディングされた前記被遠隔制御デバイスに前記リモコンバインディング用処理装置とのバインディング関係を解除させ、バインディング解除応答メッセージを生成させるように構成された第一送信ユニットを更に含み、
前記受信モジュールは、前記被遠隔制御デバイスからの前記バインディング解除応答メッセージを受信するように構成された第一受信ユニットを更に含むことを特徴とする請求項１５に記載の装置。
【請求項１７】
前記受信モジュールは、前記被遠隔制御デバイスからの第二バインディング解除要求を受信するように構成された第二受信ユニットを更に含み、
前記第二バインディング解除要求が前記被遠隔制御デバイスによりユーザのバインディング解除操作命令が検出された後に送信されたものであり、
前記第一処理モジュールは、更に前記第二バインディング解除要求に基づいて、前記被遠隔制御デバイスとのバインディング関係を解除するように構成されていることを特徴とする請求項１５に記載の装置。
【請求項１８】
リモコンバインディング用処理装置において、
リモコンからの前記リモコンの識別情報を含むバインディング要求を受信するように構成された受信モジュールと、
前記バインディング要求に基づいて、バインディング応答メッセージを生成するように構成された処理モジュールであって、前記バインディング応答メッセージが前記リモコンとバインディングするための認証情報を含む処理モジュールと、
前記リモコンに前記バインディング応答メッセージを送信して、前記リモコンに前記バインディング応答メッセージに基づいて前記リモコンバインディング用処理装置との制御操作機能のバインディングを完成させるように構成された送信モジュールと、
を含むことを特徴とするリモコンバインディング用処理装置。
【請求項１９】
前記受信モジュールは、前記リモコンによりブルートゥースを介してブロードキャストされた前記リモコンの識別情報を含む前記バインディング要求を受信するように構成されたブルートゥース通信ユニットを含み、
前記バインディング応答メッセージは、前記リモコンバインディング用処理装置により生成されたブルートゥースペアリング情報を含むことを特徴とする請求項１８に記載の装置。
【請求項２０】
前記受信モジュールは、前記リモコンからの操作要求を受信し、前記操作要求に基づいて対応する操作を実行するように構成された第一受信ユニットを更に含むことを特徴とする請求項１８または１９に記載の装置。
【請求項２１】
前記受信モジュールは、前記リモコンからの前記リモコンの識別情報を含む第一バインディング解除要求を受信するように構成された第二受信ユニットを更に含み、
前記処理モジュールは、前記第一バインディング解除要求に基づいて、前記リモコンとのバインディング関係を解除してバインディング解除応答メッセージを生成するように構成された第一処理ユニットと、
前記送信モジュールは、前記バインディング解除応答メッセージを前記リモコンに送信するように構成された第一送信ユニットを含むことを特徴とする請求項２０に記載の装置。
【請求項２２】
ユーザのバインディング解除操作命令を検出するように構成された検出モジュールを更に含み、
前記処理モジュールは、前記バインディング解除操作命令に基づいて第二バインディング解除要求を生成するように構成された第二処理ユニットを更に含み、
前記送信モジュールは、前記第二バインディング解除要求を前記リモコンに送信して、前記リモコンとのバインディング関係を解除させるように構成された第二送信ユニットを更に含むことを特徴とする請求項２０に記載の装置。
【請求項２３】
実行可能な指令を実行するように制御するためのプロセッサと、プロセッサの実行可能な指令を記憶するためのメモリと、受信機と、送信機とを備え、
前記プロセッサは、バインディング操作命令を取得するように構成されており、
前記送信機は、バインディング対象の被遠隔制御デバイスに前記リモコンの識別情報を含むバインディング要求を送信して、現在バインディング対象の前記被遠隔制御デバイスに前記バインディング要求に基づいてバインディング応答メッセージを生成させるように構成されており、前記バインディング応答メッセージが前記リモコンとバインディングするための認証情報を含み、
前記受信機は、前記被遠隔制御デバイスから返送された前記バインディング応答メッセージを受信するように構成されており、
前記プロセッサは、更に前記バインディング応答メッセージに基づいて前記被遠隔制御デバイスとの制御操作機能のバインディングを完成するように構成されていることを特徴とするリモコン。
【請求項２４】
実行可能な指令を実行するように制御するためのプロセッサと、プロセッサの実行可能な指令を記憶するためのメモリと、受信機と、送信機とを備え、
前記受信機は、リモコンからの前記リモコンの識別情報を含むバインディング要求を受信するように構成されており、
前記プロセッサは、前記バインディング要求に基づいて、バインディング応答メッセージを生成するように構成されており、前記バインディング応答メッセージが前記リモコンとバインディングするための認証情報を含み、
前記送信機は、前記リモコンに前記バインディング応答メッセージを送信して、前記リモコンに前記バインディング応答メッセージに基づいて前記被遠隔制御デバイスとの制御操作機能のバインディングを完成させるように構成されていることを特徴とする被遠隔制御デバイス。
【発明の詳細な説明】
【技術分野】
【０００１】
(関連出願の相互参照)
本発明は、出願番号が２０１６１０１０２８１９．８であり、出願日が２０１６年２月２４日である中国特許出願を基に提出するものであり、当該中国特許出願の優先権を主張し、当該中国特許出願の全ての内容は、参考のため本願に援用する。
【０００２】
本発明は、スマート端末に関し、特に、リモコンをバインディングする処理方法、装置及びデバイスに関する。
【背景技術】
【０００３】
スマートホーム機器の広い普及に伴い、例えばスマートテレビ、スマートエアコンなどのようなスマートホーム機器が人々の生活においてますます利用されつつある。しかしながら、上記スマートホーム機器を制御するためのユーザ周りのリモコン（赤外線リモコン、ブルートゥース（登録商標）リモコンなど）の数もますます多くなっているため、ユーザが現在望ましいリモコンを決めるのに長い時間がかかる傾向がある。また、外観が類似するリモコンも存在し、ユーザによって判断されにくくなり、ユーザ体験がよくない。
【発明の概要】
【発明が解決しようとする課題】
【０００４】
上記問題点を解決するため、本発明は、リモコンをバインディングする処理方法、装置及びデバイスを提供する。その解決手段は以下の通りである。
【課題を解決するための手段】
【０００５】
本発明の実施例の第１の様態によれば、リモコンをバインディングする処理方法を提供する。
前記処理方法は、
リモコンがバインディング操作命令を取得するステップと、
前記リモコンがバインディング対象の被遠隔制御デバイスに前記リモコンの識別情報を含むバインディング要求を送信して、現在バインディング対象の前記被遠隔制御デバイスに前記バインディング要求に基づいてバインディング応答メッセージを生成させるステップであって、前記バインディング応答メッセージが前記リモコンとバインディングするための認証情報を含むステップと、
前記リモコンが前記被遠隔制御デバイスから返送された前記バインディング応答メッセージを受信するステップと、
前記リモコンが前記バインディング応答メッセージに基づいて前記被遠隔制御デバイスとの制御操作機能のバインディングを完成するステップとを含む。
【０００６】
本発明の実施例により提供される技術案によれば、リモコンによってユーザのバインディング操作命令を取得し、バインディング対象の被遠隔制御デバイスにバインディング要求を送信して、バインディング対象の被遠隔制御デバイスに関連する認証情報を生成させて、前記リモコンとバインディング制御を行う。当該技術案は、同じリモコンと複数のデバイスとのバインディングを実現でき、統合制御を行うことができる。これによって、複数のリモコンを利用する場合に、対応するリモコンをすばやく決められないことを回避でき、ユーザ体験を向上することができる。
【０００７】
更に、前記リモコンがバインディング操作命令を取得するステップは、
前記リモコンが、ユーザがバインディングキーを押す旨の操作命令を前記バインディング操作命令として検出するサブステップ、または、
前記リモコンが、ユーザが前記リモコンを振る旨の操作命令を前記バインディング操作命令として検出するサブステップを含む。
【０００８】
本発明の実施例に提供される技術案によれば、リモコンがバインディング操作命令を検出する技術案を提供し、当該技術案は、ユーザが当該機能キーへの押圧操作を検出してもよいし、特定の振り操作の認識であってもよい。これにより、簡単かつ便利な操作で被遠隔制御デバイスとのバインディングを実現することができる。
【０００９】
これに代えて、前記リモコンがバインディング対象の被遠隔制御デバイスに前記リモコンの識別情報を含むバインディング要求を送信することは、
前記リモコンがブルートゥースを介して前記リモコンの識別情報を含む前記バインディング要求をブロードキャスト送信することを含み、
前記バインディング応答メッセージは、前記被遠隔制御デバイスにより生成されたブルートゥースペアリング情報を含むものであってもよい。
【００１０】
更に、前記方法は、前記リモコンがユーザの操作に基づいて前記被遠隔制御デバイスに対して遠隔制御操作を行うステップを更に含む。
【００１１】
本発明の実施例により提供される技術案によれば、具体的な方法はブルートゥースを介してバインディングを行う。すなわち、リモコンが情報をブロードキャストし、バインディング対象のデバイスにおいて当該バインディング要求に応答できるモジュールが設けられる一方、バインディングされる必要がないデバイスには当該機能がない。例えば、携帯電話はリモコンにより制御される必要がないため、当該ブルートゥースによりブロードキャストされた情報に応答しない。被遠隔制御デバイスは対応するペアリング情報を生成し、リモコンとペアリングした後に自動的にバインディングする。これにより、ユーザが当該リモコンを介して当該被遠隔制御デバイスの操作を制御することができ、同時に他のデバイスをバインディングすることもできる。これによって、複数のリモコンから所望のリモコンを決めにくいという問題を回避でき、ユーザ体験を向上することができる。
【００１２】
これに代えて、前記リモコンがユーザの操作に基づいて前記被遠隔制御デバイスに対して遠隔制御操作を行った後、
前記リモコンがバインディング解除操作命令を取得するステップと、
前記リモコンがバインディングされた被遠隔制御デバイスに前記リモコンの識別情報を含む第一バインディング解除要求を送信し、現在バインディングされた前記被遠隔制御デバイスに前記リモコンとのバインディング関係を解除させてバインディング解除応答メッセージを生成させるステップと、
前記リモコンが前記被遠隔制御デバイスからの前記バインディング解除応答メッセージを受信するステップと、を更に含んでもよい。
【００１３】
これに代えて、前記リモコンがユーザの操作に基づいて前記被遠隔制御デバイスに対して遠隔制御操作を行った後、
前記リモコンが前記被遠隔制御デバイスからの第二バインディング解除要求を受信するステップであって、前記第二バインディング解除要求が前記被遠隔制御デバイスによりユーザのバインディング解除操作命令が検出された後に送信されたものであるステップと、
前記リモコンが前記第二バインディング解除要求に基づいて、前記被遠隔制御デバイスとのバインディング関係を解除するステップとを更に含んでもよい。
【００１４】
本発明の実施例により提供される技術案によれば、上述のいずれか一つの技術案に従って、リモコンと被遠隔制御デバイスとのバインディングを実現した後に、一つのリモコンを介して複数のデバイスに対する操作を行うことができ、上述のバインディングを解除する必要がある場合、リモコンを操作して実現してもよく、被遠隔制御デバイスを操作して実現してもよい。バインディングの過程と同様に、ユーザがリモコンまたは被遠隔制御デバイスにバインディングを解除するためのメッセージを送信する必要がある。これによって、ユーザの意志によるバインディング及び解除を実現でき、利便性を向上することができ、ユーザ体験を効果的に向上することができる。
【００１５】
本発明の実施例の第２の様態によれば、リモコンをバインディングする処理方法を提供する。
前記処理方法は、
被遠隔制御デバイスがリモコンからの前記リモコンの識別情報を含むバインディング要求を受信するステップと、
前記被遠隔制御デバイスが前記バインディング要求に基づいて、バインディング応答メッセージを生成するステップであって、前記バインディング応答メッセージが前記リモコンとバインディングするための認証情報を含むステップと、
前記被遠隔制御デバイスが前記リモコンに前記バインディング応答メッセージを送信して、前記リモコンに前記バインディング応答メッセージに基づいて前記被遠隔制御デバイスとの制御操作機能のバインディングを完成させるステップとを含む。
【００１６】
また、前記方法は、
前記被遠隔制御デバイスが前記リモコンからの操作要求を受信し、前記操作要求に基づいて対応の操作を実行するステップを更に含む。
【００１７】
本発明の実施例により提供される技術案によれば、被遠隔制御デバイスがリモコンとバインディングされていない場合には、リモコンからのバインディング要求を受信した後に、認証情報を含むバインディング応答メッセージを生成して、リモコンに送信して相互認証し、バインディングを完成し、当該バインディングされたリモコンの操作に基づいて関連の機能を実行する。当該技術案により、当該被遠隔制御デバイス専用のリモコンによって被遠隔制御デバイスを操作する必要性がなくなる。上述のバインディングを完成すれば、当該被遠隔制御デバイスに対する操作を完成することができる。これによって、複数のリモコンを利用する場合に、対応するリモコンをすばやく決められないという問題を回避し、ユーザの利便性を向上することができる。
【００１８】
また、前記方法は、
前記被遠隔制御デバイスが前記リモコンからの前記リモコンの識別情報を含む第一バインディング解除要求を受信するステップと、
前記被遠隔制御デバイスが前記第一バインディング解除要求に基づいて、前記リモコンとのバインディング関係を解除してバインディング解除応答メッセージを生成するステップと、
前記被遠隔制御デバイスが前記バインディング解除応答メッセージを前記リモコンに送信するステップと
を更に含む。
【００１９】
これに代えて、前記方法は、
前記被遠隔制御デバイスがユーザのバインディング解除操作命令を検出するステップと、
前記被遠隔制御デバイスが前記バインディング解除操作命令に基づいて第二バインディング解除要求を生成するステップと、
前記被遠隔制御デバイスが前記第二バインディング解除要求を前記リモコンに送信して、前記リモコンとのバインディング関係を解除させるステップと、を更に含んでもよい。
【００２０】
本発明の実施例に提供される技術案によれば、被遠隔制御デバイスがユーザの操作に基づいてリモコンにバインディング解除要求を能動的に送信してもよいし、リモートコントローラからのバインディング解除要求を受信してもよい。被遠隔制御デバイスとリモコンとの間のバインディングを解除することによって、ユーザの意志によるバインディング及び解除を実現でき、利便性を向上することができ、ユーザ体験を効果的に向上することができる。
【００２１】
本発明の実施例の第３の様態によれば、リモコンバインディング用処理装置を提供する。
当該装置は、
バインディング操作命令を取得するように構成された取得モジュールと、
バインディング対象の被遠隔制御デバイスに前記リモコンバインディング用処理装置の識別情報を含むバインディング要求を送信して、現在バインディング対象の前記被遠隔制御デバイスに前記バインディング要求に基づいてバインディング応答メッセージを生成させるように構成された送信モジュールであって、前記バインディング応答メッセージが前記リモコンバインディング用処理装置とバインディングするための認証情報を含む送信モジュールと、
前記被遠隔制御デバイスから返送された前記バインディング応答メッセージを受信するように構成された受信モジュールと、
前記バインディング応答メッセージに基づいて前記被遠隔制御デバイスとの制御操作機能のバインディングを完成するように構成された第一処理モジュールとを含む。
【００２２】
更に、前記取得モジュールは、
ユーザがバインディングキーを押す旨の操作命令を前記バインディング操作命令として検出するように構成された第一検出ユニット、または、
ユーザが前記リモコンを振る旨の操作命令を前記バインディング操作命令として検出するように構成された第二検出ユニットを含む。
【００２３】
これに代えて、前記送信モジュールは、ブルートゥースを介して前記リモコンバインディング用処理装置の識別情報を含む前記バインディング要求をブロードキャスト送信するように構成されたブルートゥース通信ユニットを含み、
前記受信モジュールにより受信された前記バインディング応答メッセージは、前記被遠隔制御デバイスにより生成されたブルートゥースペアリング情報を含むものであってもよい。
【００２４】
また、前記装置は、ユーザの操作に基づいて前記被遠隔制御デバイスに対して遠隔制御操作を行うように構成された第二処理モジュールを更に含む。
【００２５】
また、前記取得モジュールは、バインディング解除操作命令を取得するように構成された第一取得ユニットを更に含み、
前記送信モジュールは、バインディングされた被遠隔制御デバイスに前記リモコンバインディング用処理装置の識別情報を含む第一バインディング解除要求を送信し、現在バインディングされた前記被遠隔制御デバイスに前記リモコンバインディング用処理装置とのバインディング関係を解除させ、バインディング解除応答メッセージを生成させるように構成された第一送信ユニットを更に含み、
前記受信モジュールは、前記被遠隔制御デバイスからの前記バインディング解除応答メッセージを受信するように構成された第一受信ユニットを更に含む。
【００２６】
これに代えて、前記受信モジュールは、被遠隔制御デバイスからの第二バインディング解除要求を受信するように構成された第二受信ユニットを更に含み、
前記バインディング解除要求が前記被遠隔制御デバイスによりユーザのバインディング解除操作命令が検出された後に送信されたものであり、
前記第一処理モジュールは、更に前記第二バインディング解除要求に基づいて、前記被遠隔制御デバイスとのバインディング関係を解除するように構成されるものであってもよい。
【００２７】
本発明の実施例の第４の様態によれば、リモコンバインディング用処理装置を提供する。
当該装置は、
リモコンからの前記リモコンの識別情報を含むバインディング要求を受信するように構成された受信モジュールと、
前記バインディング要求に基づいて、バインディング応答メッセージを生成するように構成された処理モジュールであって、前記バインディング応答メッセージが前記リモコンとバインディングするための認証情報を含む処理モジュールと、
前記リモコンに前記バインディング応答メッセージを送信して、前記リモコンに前記バインディング応答メッセージに基づいて前記リモコンバインディング用処理装置との制御操作機能のバインディングを完成させるように構成された送信モジュール、を含む。
【００２８】
これに代えて、前記受信モジュールは、前記リモコンによりブルートゥースを介してブロードキャストされた前記リモコンの識別情報を含む前記バインディング要求を受信するように構成されたブルートゥース通信ユニットを含み、
前記バインディング応答メッセージは、前記リモコンバインディング用処理装置により生成されたブルートゥースペアリング情報を含むものであってもよい。
【００２９】
また、前記受信モジュールは、前記リモコンからの操作要求を受信し、前記操作要求に基づいて対応の操作を実行するように構成された第一受信ユニットを更に含む。
【００３０】
これに代えて、前記受信モジュールは、
前記リモコンからの前記リモコンの識別情報を含む第一バインディング解除要求を受信するように構成された第二受信ユニットを更に含み、
前記処理モジュールは、前記第一バインディング解除要求に基づいて、前記リモコンとのバインディング関係を解除してバインディング解除応答メッセージを生成するように構成された第一処理ユニットと、
前記送信モジュールは、前記バインディング解除応答メッセージを前記リモコンに送信するように構成された第一送信ユニットを含んでもよい。
【００３１】
また、前記装置は、
ユーザのバインディング解除操作命令を検出するように構成された検出モジュールを更に含み、
前記処理モジュールは、前記バインディング解除操作命令に基づいて第二バインディング解除要求を生成するように構成された第二処理ユニットを更に含み、
前記送信モジュールは、前記第二バインディング解除要求を前記リモコンに送信して、前記リモコンとのバインディング関係を解除させるように構成された第二送信ユニットを更に含んでもよい。
【００３２】
本発明の実施例の第５の様態によれば、リモコンを提供する。
当該リモコンは、
実行可能な指令を実行するように制御するためのプロセッサと、プロセッサの実行可能な指令を記憶するためのメモリと、受信機と、送信機とを備え、
前記プロセッサは、バインディング操作命令を取得するように構成されており、
前記送信機は、バインディング対象の被遠隔制御デバイスに前記リモコンの識別情報を含むバインディング要求を送信して、現在バインディング対象の前記被遠隔制御デバイスに前記バインディング要求に基づいてバインディング応答メッセージを生成させるように構成されており、前記バインディング応答メッセージが前記リモコンとバインディングするための認証情報を含み、
前記受信機は、前記被遠隔制御デバイスから返送された前記バインディング応答メッセージを受信するように構成されており、
前記プロセッサは、更に前記バインディング応答メッセージに基づいて前記被遠隔制御デバイスとの制御操作機能のバインディングを完成するように構成されている。
【００３３】
本発明の実施例の第６の様態によれば、被遠隔制御デバイスを提供する。
当該被遠隔制御デバイスは、
実行可能な指令を実行するように制御するためのプロセッサと、プロセッサの実行可能な指令を記憶するためのメモリと、受信機と、送信機とを備え、
前記受信機はリモコンからの前記リモコンの識別情報を含むバインディング要求を受信するように構成されており、
前記プロセッサは、前記バインディング要求に基づいて、バインディング応答メッセージを生成するように構成されており、前記バインディング応答メッセージが前記リモコンとバインディングするための認証情報を含み、
前記送信機は、前記リモコンに前記バインディング応答メッセージを送信して、前記リモコンに前記バインディング応答メッセージに基づいて前記被遠隔制御デバイスとの制御操作機能のバインディングを完成させるように構成されている。
【００３４】
本発明の実施例に提供されるリモコンをバインディングする処理方法、装置及びデバイスによれば、リモコンによって、ユーザのバインディング操作命令を取得し、バインディング対象の被遠隔制御デバイスにバインディング要求を送信して、バインディング対象の被遠隔制御デバイスに関連の認証情報を生成させて、前記リモコンとバインディング制御を行う。当該技術案は、同じリモコンと複数のデバイスとのバインディングを実現でき、統合制御を行うことができる。これによって、複数のリモコンを利用する場合に、対応するリモコンをすばやく決められないことを回避でき、ユーザの選択に基づいてバインディングを解除することができ、家電デバイスをより容易に制御でき、ユーザ体験を向上することができる。
【００３５】
上述した一般的な記述及び後続する詳細な記述は、単に例示的及び解釈的なものであり、本発明を制限するものでないと理解されるべきである。
【図面の簡単な説明】
【００３６】
ここでの図面は、明細書を構成する一部とみなされ、本発明に適した実施例を示し、かつ、明細書の記載と共に本発明の仕組みを解釈するために用いられる。
【図１】実施例１によるリモコンをバインディングする処理方法を示すフローチャートである。
【図２】実施例２によるリモコンをバインディングする処理方法を示すフローチャートである。
【図３】実施例３によるリモコンをバインディングする処理方法を示すフローチャートである。
【図４】実施例４によるリモコンをバインディングする処理方法を示すフローチャートである。
【図５】実施例５によるリモコンをバインディングする処理方法を示すフローチャートである。
【図６】実施例１によるリモコンバインディング用処理装置を示すブロック図である。
【図７】実施例２によるリモコンバインディング用処理装置を示すブロック図である。
【図８】実施例３によるリモコンバインディング用処理装置を示すブロック図である。
【図９】実施例４によるリモコンバインディング用処理装置を示すブロック図である。
【図１０】実施例５によるリモコンバインディング用処理装置を示すブロック図である。
【図１１】実施例６によるリモコンバインディング用処理装置を示すブロック図である。
【図１２】実施例７によるリモコンバインディング用処理装置を示すブロック図である。
【図１３】実施例８によるリモコンバインディング用処理装置を示すブロック図である。
【図１４】実施例９によるリモコンバインディング用処理装置を示すブロック図である。
【図１５】実施例１０によるリモコンバインディング用処理装置を示すブロック図である。
【図１６】実施例１１によるリモコンバインディング用処理装置を示すブロック図である。
【図１７】一実施例によるリモコンを示すブロック図である。
【図１８】一実施例による被遠隔制御デバイスの実体を示すブロック図である。
【図１９】一実施例による被遠隔制御デバイス１２００を示すブロック図である。
【図２０】一実施例によるリモコン１９００を示すブロック図である。
【発明を実施するための形態】
【００３７】
次に、実施例を詳細に説明し、例示が図に示されている。以下の記述が図に係る場合、別途示さない限り、異なる図面における同じ符号は、同一または類似する要素を示す。以下の実施例に記述される実施形態は、本発明と一致する全ての実施形態を代表するとは限らない。逆に、それらは、添付する特許請求の範囲に記載されているように本発明の一部の態様と一致する装置及び方法の例に過ぎない。
【００３８】
図１は、実施例１によるリモコンをバインディングする処理方法を示すフローチャートであり、図１に示すように、当該方法は、主にリモコンに用いられる。当該リモコンは、ユーザの操作に基づいて、異なる端末デバイスとバインディングして、各端末デバイスを制御でき、当該端末デバイスは、テレビやエアコンなどの家電製品を含む。当該リモートコントローラをバインディングする処理方法は、以下のステップＳ１０１〜Ｓ１０４を含む。
【００３９】
ステップＳ１０１において、リモコンがバインディング操作命令を取得する。
【００４０】
本ステップにおいて、ユーザが当該リモコンを介してあるデバイスを制御する必要がある場合には、当該リモコンが当該被遠隔制御デバイスに対して制御機能を有するように、当該リモコンと対応の被遠隔制御デバイスとをバインディングしなければならない。リモコンは、バインディング操作命令を取得する必要がある。具体的な実現方法は、以下の少なくとも一つである。
【００４１】
実現方法１：
リモコンはユーザがバインディングキーを押す操作を検出して、前記バインディング操作命令とする。すなわち、ユーザが当該リモコンに設けられたバインディング用のキーに対して押圧などの操作を行うこと、または、特定の機能キーに対して長押しすることでバインディングなどの機能を実現する。具体的には、実際の要求に応じて配置することができる。
【００４２】
実現方法２：
リモコンはユーザが前記リモコンを振る操作を検出して、前記バインディング操作命令とする。すなわち、ユーザによるバインディング用の移動軌跡を予め設定することができ、当該リモコンの移動軌跡とバインディング用の予め設定された移動軌跡とが略同じであると検出された場合には、ユーザがバインディングを行う必要があると考えられる。
【００４３】
ステップＳ１０２において、前記リモコンはバインディング対象の被遠隔制御デバイスに前記リモコンの識別情報を含むバインディング要求を送信して、現在バインディング対象の前記被遠隔制御デバイスに前記バインディング要求に基づいてバインディング応答メッセージを生成させる。
【００４４】
本ステップにおいて、リモコンは取得したバインディング操作命令に基づいて、被遠隔制御デバイスにバインディング要求を送信し、被遠隔制御デバイスは応答するか否かを判断する。なお、当該バインディング要求においてリモコンの認証情報を伴っており、上述のバインディング応答メッセージが、前記リモコンとバインディングするための認証情報を含む。すなわち、被遠隔制御デバイスがバインディングされない場合、または、当該リモコンのバインディング操作を許す場合、関連の認証情報を生成して当該リモコンに返送する。
【００４５】
上述のバインディング要求を送信する方法は、ブロードキャスト送信であってもよく、ユニキャスト送信またはマルチキャスト送信であってもよく、本発明はこれに限定されない。例えば、ブルートゥースを介して実現することができる。リモコンがブルートゥースを介して前記リモコンの識別情報を含む前記バインディング要求をブロードキャスト送信することを含み、前記バインディング応答メッセージは、前記被遠隔制御デバイスにより生成されたブルートゥースペアリング情報を含む。
【００４６】
当該識別情報は、当該リモコンのデバイスＩＤであってもよいし、当該リモコンのＭＡＣアドレス（Ｍｅｄｉａ  Ａｃｃｅｓｓ  Ｃｏｎｔｒｏｌ）であってもよいし、当該リモコンを識別できる他のＩＤであってもよいが、これらに限定されない。
【００４７】
ステップＳ１０３において、前記リモコンが前記被遠隔制御デバイスから返送された前記バインディング応答メッセージを受信する。
【００４８】
ステップＳ１０４において、前記リモコンが前記バインディング応答メッセージに基づいて前記被遠隔制御デバイスとの制御操作機能のバインディングを完成する。
【００４９】
本ステップにおいて、リモコンが上述のバインディング応答メッセージにおける認証情報に基づいて認証を行い、当該被遠隔制御デバイスが当該リモコンのバインディングを許可することを確認し、当該リモコンと当該被遠隔制御デバイスとの間の制御操作機能のバインディングを完成する。
【００５０】
ブルートゥースを介してバインディングする場合には、当該リモコンが上述のブルートゥースペアリング情報を受信し、その中の情報をペアリングした後、被遠隔制御デバイスにペアリング成功の情報を送信し、ブルートゥース接続を確立し、制御機能のバインディングを実現する。
【００５１】
当該リモコンは、ユーザの操作に基づいて被遠隔制御デバイスを制御して関連機能を実行する。すなわち、リモコンはユーザの操作に基づいて、前記被遠隔制御デバイスに対して遠隔制御操作を行う。
【００５２】
本実施例により提供される処理方法によれば、リモコンによって、ユーザのバインディング操作命令を取得し、バインディング対象の被遠隔制御デバイスにバインディング要求を送信して、バインディング対象の被遠隔制御デバイスに関連の認証情報を生成させて、前記リモコンとバインディング制御を行う。当該技術案は、同じリモコンと複数のデバイスとのバインディングを実現でき、統合制御を行うことができる。これによって、複数のリモコンを利用する場合に、対応するリモコンをすばやく決められないことを回避でき、ユーザ体験を向上することができる。
【００５３】
更に、具体的な方法はブルートゥースを介してバインディングを行う。すなわち、リモコンが情報をブロードキャストし、バインディング対象のデバイスにおいて当該バインディング要求に応答できるモジュールが設けられる一方、バインディングする必要がないデバイスには当該機能がない。例えば、携帯電話はリモコンにより制御される必要がないため、当該ブルートゥースによりブロードキャストされた情報に応答しない。被遠隔制御デバイスは対応するペアリング情報を生成し、リモコンとペアリングした後に自動的にバインディングする。これにより、ユーザは当該リモコンを介して当該被遠隔制御デバイスの操作を制御することができ、同時に他のデバイスをバインディングすることができる。これによって、複数のリモコンから所望のリモコンを決めにくいという問題を回避でき、ユーザ体験を向上することができる。
【００５４】
図２は、実施例２によるリモコンをバインディングする処理方法を示すフローチャートである。図２に示すように、前記リモコンと被遠隔制御デバイスとの制御機能をバインディングして、リモコンが被遠隔制御デバイスに対して制御可能となった後に、実際の要求に応じて当該バインディング関係を解除することができる。すなわち、ステップＳ１０４の後、当該リモコンをバインディングする処理方法は更に、以下のステップＳ２０１〜Ｓ２０３を含む。
【００５５】
ステップＳ２０１において、前記リモコンがバインディング解除操作命令を取得する。
【００５６】
本ステップにおいて、ユーザが上述の技術案中のバインディングを解除したい場合、すなわち、当該リモコンの制御権をキャンセルする場合、上述のバインディング操作命令を取得する方法と同様に、ユーザによる特定キーへの操作または特定の移動軌跡を、バインディング解除操作を取得する命令として取得することができる。
【００５７】
ステップＳ２０２において、前記リモコンはバインディングされた被遠隔制御デバイスに前記リモコンの識別情報を含む第一バインディング解除要求を送信し、現在バインディングされている前記被遠隔制御デバイスに前記リモコンとのバインディング関係を解除させてバインディング解除応答メッセージを生成させる。
【００５８】
ステップＳ２０３において、前記リモコンは前記被遠隔制御デバイスからの前記バインディング解除応答メッセージを受信する。
【００５９】
本実施例において、ユーザがデバイスとリモコンとのバインディングを解除したい場合、被遠隔制御デバイスにバインディング解除要求を送信し、被遠隔制御デバイスに当該バインディング関係を解除するように要求することができ、被遠隔制御デバイスが当該リモコンのＩＤに基づいて、当該リモコンの制御機能をキャンセルし、バインディング解除応答メッセージを返送し、当該リモコンとのバインディングを解除する。その後、当該リモコンを利用して非遠隔制御デバイスを制御したい場合は、図１に示す実施例を参照して新たにバインディングを実行することができる。
【００６０】
図３は、実施例３によるリモコンをバインディングする処理方法を示すフローチャートである。図３に示すように、上述図２に示す技術案と並列し、前記リモコンと被遠隔制御デバイスとの制御機能をバインディングして、リモコンが被遠隔制御デバイスに対して制御可能となった後に、実際の要求に応じて当該バインディング関係を解除することができる。すなわち、ステップＳ１０４の後、当該リモコンをバインディングする処理方法は更に、以下のステップＳ３０１〜Ｓ３０２を含む。
【００６１】
ステップＳ３０１において、前記リモコンが被遠隔制御デバイスからの第二バインディング解除要求を受信する。ここで、前記バインディング解除要求が前記被遠隔制御デバイスによりユーザのバインディング解除操作命令が検出された後に送信されたものである。
【００６２】
ステップＳ３０２において、前記リモコンは前記第二バインディング解除要求に基づいて、前記被遠隔制御デバイスとのバインディング関係を解除する。
【００６３】
上述の図２に示す技術案と並列する技術案によれば、バインディングを解除したい場合、リモコンがバインディング解除をトリガーしてもよく、被遠隔制御デバイスがバインディング解除をトリガーしてもよい。ユーザによる被遠隔制御デバイスへの操作によって、例えば、ユーザがリモコンとのバインディングを解除するための特定キーを押すことを検出した場合には、バインディング解除要求を生成して上述のリモコンに送信する。
【００６４】
上述の二つの実施例により提供されるリモコンをバインディングする処理方法によれば、上述のいずれか一つの技術案に従って、リモコンと被遠隔制御デバイスとのバインディングを実現した後に、一つのリモコンを介して複数のデバイスに対する操作を行うことができ、上述のバインディングを解除する必要がある場合、リモコンを操作して実現してもよく、被遠隔制御デバイスを操作して実現してもいい。バインディングの過程と同様に、ユーザがリモコンまたは被遠隔制御デバイスにバインディングを解除するためのメッセージを送信する必要がある。これによって、ユーザの意志によるバインディング及び解除を実現でき、利便性を向上することができ、ユーザ体験を効果的に向上することができる。
【００６５】
図４は、実施例４によるリモコンをバインディングする処理方法を示すフローチャートである。図４に示すように、当該方法の実行主体は、テレビやエアコンなどの家電製品を含む被遠隔制御デバイスであり、具体的には、当該リモコンをバインディングする処理方法は、以下のステップＳ４０１〜Ｓ４０３を含む。
【００６６】
ステップＳ４０１において、被遠隔制御デバイスがリモコンからの前記リモコンの識別情報を含むバインディング要求を受信する。
【００６７】
本実施例において、被遠隔制御デバイスは当該リモコンからの要求を受信する。当該要求は、ブロードキャスト情報であってもよいし、当該被遠隔制御デバイスに対するユニキャスト送信またはあるタイプのデバイスに対するマルチキャスト送信であってもよい。当該被遠隔制御デバイスにおいて、バインディング要求に応答できるモジュールが設けられる一方、リモコンにより制御される必要がない他のデバイスは当該要求を受信した後も当該要求に対して処理及び応答を行わない。
【００６８】
ステップＳ４０２において、前記被遠隔制御デバイスは前記バインディング要求に基づいて、バインディング応答メッセージを生成する。前記バインディング応答メッセージは前記リモコンとバインディングするための認証情報を伴っている。
【００６９】
本ステップでは、当該バインディング応答メッセージにより、バインディングに同するか否かを指示する必要がある。前記被遠隔制御デバイスが当該リモコンとのバインディング関係を確立することに同意する場合は、配置を直接完成させ、バインディング完成応答を返信することができる。上述の内容に従って、対応の認証情報を生成して、リモコンが認識及び認証を容易に行って、最終的にペアリングを完成する。具体的な実現方法はブルートゥースを利用することである。すなわち、前記被遠隔制御デバイスが、前記リモコンによりブルートゥースを介してブロードキャストされた前記リモコンの識別情報を含む前記バインディング要求を受信し、被遠隔制御デバイスがブルートゥースペアリング情報を含むバインディング応答メッセージを生成する。
【００７０】
ステップＳ４０３において、前記被遠隔制御デバイスは前記リモコンに前記バインディング応答メッセージを送信して、前記リモコンに前記バインディング応答メッセージに基づいて前記被遠隔制御デバイスとの制御操作機能のバインディングを完成させる。
【００７１】
本ステップにおいて、ブルートゥースを例として、被遠隔制御デバイスがリモコンにペアリング情報を返送し、リモコンが当該ペアリング情報に基づいてペアリングし、リモコンと被遠隔制御デバイスとの間にブルートゥース接続を確立し、制御操作機能のバインディングを実現する。
【００７２】
上述の技術案に従って、リモコンと被遠隔制御デバイスとのバインディングを完成した後、ユーザによるリモコンの操作によって、被遠隔制御デバイスへの制御を実現し、当該被遠隔制御デバイスが前記リモコンからの操作要求を受信し、前記操作要求に基づいて、対応する操作を実行する。
【００７３】
本発明の実施例により提供されるリモコンをバインディングする処理方法によれば、被遠隔制御デバイスがリモコンとバインディングされていない場合には、リモコンからのバインディング要求を受信した後に、認証情報を含むバインディング応答メッセージを生成して、リモコンに送信して相互認証し、バインディングを完成し、当該バインディングされたリモコンの操作に基づいて関連の機能を実行する。当該技術案により、当該被遠隔制御デバイスのリモコンによって被遠隔制御デバイスを操作する必要性がなくなる。上述のバインディングを完成すれば、当該被遠隔制御デバイスに対する操作を行うことができる。これによって、複数のリモコンを利用する場合に、対応するリモコンをすばやく決められないという問題を回避し、ユーザの利便性を向上することができる。
【００７４】
図５は、実施例５によるリモコンをバインディングする処理方法を示すフローチャートである。図５に示すように、当該方法の実行主体は被遠隔制御デバイスであり、上述の実施例に基づいて、被遠隔制御デバイスがリモコンの制御で関連の機能を実行し、ユーザが実際の要求に応じて上述のバインディングをキャンセルすることができる。当該方法は以下のステップＳ５０１〜Ｓ５０３を含む。
【００７５】
ステップＳ５０１において、前記被遠隔制御デバイスがユーザのバインディング解除操作命令を検出する。
【００７６】
本ステップにおいて、ユーザは当該被遠隔制御デバイスに予め設けられたバインディングをキャンセルするためのキーを直接操作することができ、当該被遠隔制御デバイスは当該バインディング解除操作命令を検出することができる。
【００７７】
ステップＳ５０２において、前記被遠隔制御デバイスは前記バインディング解除操作命令に基づいて第二バインディング解除要求を生成する。
【００７８】
ステップＳ５０３において、前記被遠隔制御デバイスは前記第二バインディング解除要求を前記リモコンに送信して、前記リモコンとのバインディング関係を解除させる。
【００７９】
本実施例において、当該バインディング関係の解除は被遠隔制御デバイスによりトリガーされる。実際に、リモコン及び被遠隔制御デバイスは、いずれも、上述のバインディング関係の解除をトリガーすることができる。本発明の技術案に従って、同じリモコンが複数のデバイスとバインディングし、複数のデバイスを制御してもよいし、同じデバイスが複数のリモコンとバインドしてもよい（すなわち、複数のリモコンは、いずれも同じデバイスを制御することができる）。
【００８０】
また、以下のステップを処理し、リモコンにより当該バインディングを解除しても良い。
【００８１】
前記被遠隔制御デバイスが前記リモコンからの前記リモコンの識別情報を含む第一バインディング解除要求を受信し、前記被遠隔制御デバイスが前記第一バインディング解除要求に基づいて、前記リモコンとのバインディング関係を解除してバインディング解除応答メッセージを生成し、前記被遠隔制御デバイスが前記バインディング解除応答メッセージを前記リモコンに送信する。
【００８２】
被遠隔制御デバイスがバインディングを解除するリモコンを容易に認識できるように、当該第一バインディング解除要求は、当該リモコンのＩＤを含む。
【００８３】
上述のいずれか一つの実施例により提供される技術案に従って、リモコン及び被遠隔制御デバイスを改善する必要がある。テレビやテレビセットトップボックスなどの被遠隔制御デバイスは、工場出荷時、如何なるリモコンともバインディングされない。但し、一度リモコンからのブルートゥース制御命令（当該命令はリモコンのＭＡＣアドレスを伴う）を受信すると、当該リモコンと自動的にバインディングする。ユーザの具体的な操作方法は、以下の通りである。ユーザはテレビ／テレビセットトップボックスの特定キーを押してデバイスをバインディングモードにし（テレビ／テレビセットトップボックスが如何なるリモコンともバインディングされていない場合は、自動的にバインディングモードに入ってもよい）、ユーザがリモコンの「バインディング」キーを押すと、リモコンが自己アドレスを含む無線メッセージを送信し、テレビ／テレビセットトップボックスが当該メッセージを受信した後に、リモコンと自動的にバインディングする。
【００８４】
ユーザがデバイスとリモコンとのバインディングを解除したい場合、テレビ／テレビセットトップボックスの特定キーを押してリモコンとのバインディングを解除してもよいし、リモコンの特定キーを押してバインディングを解除してもよい。これにより、一つのリモコンが複数のデバイスを（同時に）制御することができる。例えば、ユーザがリモコンの「バインディング」キーを５秒間長押するか、または、ユーザがテレビの「バインディング」キーを５秒間長押することでデバイスとのバインディングを解除することができる。
【００８５】
本発明の実施例により提供されるリモコンをバインディングする処理方法によれば、被遠隔制御デバイスはユーザの操作に基づいてリモコンにバインディング解除要求を能動的に送信してもよいし、モートコントローラからのバインディング解除要求を受信してもよい。被遠隔制御デバイスとリモコンとの間のバインディングを解除することによって、ユーザの意志によるバインディング及び解除を実現でき、利便性を向上することができ、ユーザ体験を効果的に向上することができる。
【００８６】
図６は、実施例１によるリモコンバインディング用処理装置を示すブロック図である。図６に示すように、当該リモコンバインディング用処理装置１０は、バインディング操作命令を取得するように構成された取得モジュール１１と、バインディング対象の被遠隔制御デバイスに前記リモコンバインディング用処理装置の識別情報を含むバインディング要求を送信して、現在バインディング対象の前記被遠隔制御デバイスに前記バインディング要求に基づいてバインディング応答メッセージを生成させるように構成された送信モジュール１２であって、前記バインディング応答メッセージが前記リモコンバインディング用処理装置とバインディングするための認証情報を伴っている送信モジュール１２と、前記被遠隔制御デバイスから返送された前記バインディング応答メッセージを受信するように構成された受信モジュール１３と、前記バインディング応答メッセージに基づいて前記被遠隔制御デバイスとの制御操作機能のバインディングを完成するように構成された第一処理モジュール１４とを含む。
【００８７】
本発明の実施例に提供されるリモコンバインディング用処理装置によれば、取得モジュールはユーザのバインディング操作命令を取得し、送信モジュールはバインディング対象の被遠隔制御デバイスにバインディング要求を送信して、バインディング対象の被遠隔制御デバイスに関連の認証情報を生成させて、第一処理モジュールと前記リモコンとのバインディング制御を行うことで、同じ当該装置と複数のデバイスとのバインディングを実現でき、統合制御を行うことができる。これによって、複数のリモコンを利用する場合に、対応のリモコンをすばやく決められないことを回避でき、ユーザ体験を向上することができる。
【００８８】
上述の図６に示す実施例に基づいて、図７は、実施例２によるリモコンバインディング用処理装置を示すブロック図である。図７に示すように、前記取得モジュール１１は、ユーザがバインディングキーを押す旨の操作命令を前記バインディング操作命令として検出するように構成された第一検出ユニット１１１、または、ユーザが前記リモコンを振る旨の操作命令を前記バインディング操作命令として検出するように構成された第二検出ユニット１１２を含む。
【００８９】
また、上述の図６に示す実施例に基づいて、図８は、実施例３によるリモコンバインディング用処理装置を示すブロック図である。図８に示すように、前記送信モジュール１２は、ブルートゥースを介して前記リモコンバインディング用処理装置の識別情報を含む前記バインディング要求をブロードキャスト送信するように構成されたブルートゥース通信ユニット１２１を含み、前記受信モジュール１３により受信された前記バインディング応答メッセージは、前記被遠隔制御デバイスにより生成されたブルートゥースペアリング情報を含む。
【００９０】
上述の図６〜図８のいずれか一つに示す実施例に基づいて、図９は、実施例４によるリモコンバインディング用処理装置を示すブロック図である。図９に示すように、前記装置１０は、ユーザの操作に基づいて前記被遠隔制御デバイスに対して遠隔制御操作を行うように構成された第二処理モジュール１５を更に含む。
【００９１】
本発明の実施例に提供されるリモコンバインディング用処理装置によれば、リモコンは、ユーザによるリモコンの各機能キーへの押圧操作を検出してもよいし、特定の振り操作を検出してもよい。これにより、バインディングされた後に、簡単かつ便利な操作で当該リモコンを介して被遠隔制御デバイスの制御を行うことができる。
【００９２】
上述の図６〜図９のいずれか一つに示す実施例に基づいて、図１０は、実施例５によるリモコンバインディング用処理装置を示すブロック図である。図１０に示すように、前記取得モジュール１１は、バインディング解除操作命令を取得するように構成された第一取得ユニット１１３を更に含み、前記送信モジュール１２は、バインディングされた被遠隔制御デバイスに前記リモコンバインディング用処理装置の識別情報を含む第一バインディング解除要求を送信し、現在バインディングされた前記被遠隔制御デバイスに前記リモコンバインディング用処理装置とのバインディング関係を解除させ、バインディング解除応答メッセージを生成させるように構成された第一送信ユニット１２２を更に含む。また、前記受信モジュール１３は、前記被遠隔制御デバイスからの前記バインディング解除応答メッセージを受信するように構成された第一受信ユニット１３１を更に含む。
【００９３】
また、上述の図６〜図１０のいずれか一つに示す実施例に基づいて、図１１は、実施例６によるリモコンバインディング用処理装置を示すブロック図である。図１１に示すように、前記受信モジュール１３は、被遠隔制御デバイスからの第二バインディング解除要求を受信するように構成された第二受信ユニット１３２を更に含む。前記第二バインディング解除要求が前記被遠隔制御デバイスによりユーザのバインディング解除操作命令が検出された後に送信されたものであり、前記第一処理モジュール１４は、更に前記第二バインディング解除要求に基づいて、前記被遠隔制御デバイスとのバインディング関係を解除するように構成されている。
【００９４】
本発明の実施例により提供されるリモコンバインディング用処理装置によれば、上述のいずれか一つの技術案に従って、リモコンと被遠隔制御デバイスとのバインディングを実現した後に、一つのリモコンを介して複数のデバイスに対する操作を行うことができ、上述のバインディングを解除する必要がある場合、リモコンを操作して実現してもよく、被遠隔制御デバイスを操作して実現してもいい。バインディングの過程と同様に、ユーザがリモコンまたは被遠隔制御デバイスにバインディングを解除するためのメッセージを送信する必要がある。これによって、ユーザの意志によるバインディング及び解除を実現でき、利便性を向上することができ、ユーザ体験を効果的に向上することができる。
【００９５】
図１２は、実施例７によるリモコンバインディング用処理装置を示すブロック図である。図１２に示すように、当該リモコンバインディング用処理装置２０は、リモコンからの前記リモコンの識別情報を含むバインディング要求を受信するように構成された受信モジュール２１と、前記バインディング要求に基づいて、バインディング応答メッセージを生成するように構成された処理モジュール２２であって、前記バインディング応答メッセージが前記リモコンとバインディングするための認証情報を伴っている処理モジュール２２と、前記リモコンに前記バインディング応答メッセージを送信して、前記リモコンに前記バインディング応答メッセージに基づいて前記リモコンバインディング用処理装置との制御操作機能のバインディングを完成させるように構成された送信モジュール２３と、を含む。
【００９６】
本発明の実施例により提供されるリモコンバインディング用処理装置によれば、受信モジュールがリモコンとバインディングされていない場合には、リモコンからのバインディング要求を受信した後に、処理モジュールが認証情報を含むバインディング応答メッセージを生成して、送信モジュールがこれをリモコンに送信して相互認証し、バインディングを完成し、当該バインディングされたリモコンの操作に基づいて関連の機能を実行する。当該技術案により、当該被遠隔制御デバイス専用のリモコンによって被遠隔制御デバイスを操作する必要性がなくなる。上述のバインディングを完成すれば、当該被遠隔制御デバイスに対する操作を行うことができる。これによって、複数のリモコンを利用する場合に、対応するリモコンをすばやく決められないという問題を回避し、ユーザの利便性を向上することができる。
【００９７】
また、上述の図１２に示す実施例に基づいて、図１３は、実施例８によるリモコンバインディング用処理装置を示すブロック図である。図１３に示すように、前記受信モジュール２１は、前記リモコンによりブルートゥースを介してブロードキャストされた前記リモコンの識別情報を含む前記バインディング要求を受信するように構成されたブルートゥース通信ユニット２１１を含み、前記バインディング応答メッセージは、前記リモコンバインディング用処理装置により生成されたブルートゥースペアリング情報を含む。
【００９８】
また、上述の図１２または図１３に示す実施例に基づいて、図１４は、実施例９によるリモコンバインディング用処理装置を示すブロック図である。図１４に示すように、前記受信モジュール２１は、前記リモコンからの操作要求を受信し、前記操作要求に基づいて対応の操作を実行するように構成された第一受信ユニット２１２を更に含む。
【００９９】
また、上述の図１４に示す実施例に基づいて、図１５は、実施例１０によるリモコンバインディング用処理装置を示すブロック図である。図１５に示すように、前記受信モジュール２１は、前記リモコンからの前記リモコンの識別情報を含む第一バインディング解除要求を受信するように構成された第二受信ユニット２１３を更に含み、前記処理モジュール２２は、前記第一バインディング解除要求に基づいて、前記リモコンとのバインディング関係を解除してバインディング解除応答メッセージを生成するように構成された第一処理ユニット２２１とを含む。また、前記送信モジュール２３は、前記バインディング解除応答メッセージを前記リモコンに送信するように構成された第一送信ユニット２３１を含む。
【０１００】
また、上述の図１４に示す実施例に基づいて、図１６は、実施例１１によるリモコンバインディング用処理装置を示すブロック図である。図１６に示すように、前記装置２０は、ユーザのバインディング解除操作命令を検出するように構成された検出モジュール２４を更に含み、前記処理モジュール２２は、前記バインディング解除操作命令に基づいて第二バインディング解除要求を生成するように構成された第二処理ユニット２２２を更に含む。また、前記送信モジュール２３は、前記第二バインディング解除要求を前記リモコンに送信して、前記リモコンとのバインディング関係を解除させるように構成された第二送信ユニット２３２を更に含む。
【０１０１】
本発明の実施例に提供されるリモコンバインディング用処理装置は被遠隔制御デバイスに相当し、ユーザの操作に基づいてリモコンにバインディング解除要求を能動的に送信してもよいし、リモコンからのバインディング解除要求を受信してもよい。被遠隔制御デバイスとリモコンとの間のバインディングを解除することによって、ユーザの意志によるバインディング及び解除を実現でき、利便性を向上することができ、ユーザ体験を効果的に向上することができる。
【０１０２】
上述の各実施例のリモコンまたは被遠隔制御デバイスに関しては、本明細書で述べた個別のモジュールの動作を実行するための具体的な方式が、当該方法に関する実施例にて既に詳細に記述されているため、ここでは繰り返し詳細に記述しない。
【０１０３】
上記の内容は、リモコン及び被遠隔制御デバイスの内部機能モジュールと構造を説明した。
【０１０４】
図１７は一実施例によるリモコンを示すブロック図である。図１７に示すように、当該リモコンは、具体的には、実行可能な指令を実行するように制御するためのプロセッサと、プロセッサの実行可能な指令を記憶するためのメモリと、受信機と、送信機とを備え、前記プロセッサは、バインディング操作命令を取得するように構成されており、前記送信機は、バインディング対象の被遠隔制御デバイスに前記リモコンの識別情報を含むバインディング要求を送信して、現在バインディング対象の前記被遠隔制御デバイスに前記バインディング要求に基づいてバインディング応答メッセージを生成させるように構成されており、前記バインディング応答メッセージが前記リモコンとバインディングするための認証情報を含む。前記受信機は、前記被遠隔制御デバイスから返送された前記バインディング応答メッセージを受信するように構成されており、前記プロセッサは、更に前記バインディング応答メッセージに基づいて前記被遠隔制御デバイスとの制御操作機能のバインディングを完成するように構成されている。
【０１０５】
図１８は、一実施例による被遠隔制御デバイスを示すブロック図である。図１８に示すように、当該被遠隔制御デバイスは、具体的には、実行可能な指令を実行するように制御するためのプロセッサと、プロセッサの実行可能な指令を記憶するためのメモリと、受信機と、送信機とを備える。前記受信機は、リモコンからの前記リモコンの識別情報を含むバインディング要求を受信するように構成されており、前記プロセッサは、前記バインディング要求に基づいて、バインディング応答メッセージを生成するように構成されており、前記バインディング応答メッセージが前記リモコンとバインディングするための認証情報を含む。前記送信機は、前記リモコンに前記バインディング応答メッセージを送信して、前記リモコンに前記バインディング応答メッセージに基づいて前記被遠隔制御デバイスとの制御操作機能のバインディングを完成させるように構成されている。
【０１０６】
上述のリモコン及び被遠隔制御デバイスの実施例において、当該プロセッサは、中央処理装置（Ｃｅｎｔｒａｌ  Ｐｒｏｃｅｓｓｉｎｇ  Ｕｎｉｔ、ＣＰＵと略称する）であってもよいし、他の汎用プロセッサやデジタルシグナルプロセッサ（Ｄｉｇｉｔａｌ  Ｓｉｇｎａｌ  Ｐｒｏｃｅｓｓｏｒ、ＤＳＰと略称する）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称する）などであってもよい。汎用プロセッサは、マイクロプロセッサであってもよく、任意の従来のプロセッサなどであってもよい。上述のメモリは、読み出し専用メモリ（ｒｅａｄ−ｏｎｌｙ  ｍｅｍｏｒｙ、ＲＯＭと略称する）やランダムアクセスメモリ（ｒａｎｄｏｍ  ａｃｃｅｓｓ  ｍｅｍｏｒｙ、ＲＡＭと略称する）、フラッシュメモリ、ハードディスク、ソリッド・ステート・ドライブであってもよい。ＳＩＭカードは、ユーザ識別カードまたはＩＣカードともいう。デジタル携帯電話機に当該ＳＩＭカードが挿入されている場合のみ当該携帯電話機が使用できる。すなわち、コンピュータチップにはデジタル携帯電話の顧客情報や暗号化された暗号キー、電話帳などの内容が記憶されている。本発明の実施例で開示された方法ステップは、ハードウェアプロセッサによって実行される、またはプロセッサのソフトウェアモジュール及びハードウェアモジュールの組み合わせによって実行される。
【０１０７】
図１９は実施例で示した被遠隔制御デバイス１２００のブロック図である。例えば、被遠隔制御デバイス１２００は、携帯電話、コンピュータ、スマートテレビ、メッセージ送受信機器、タブレットデバイス、医療設備、エアコンなどの、リモコンを介して制御するデバイスであってもいい。
【０１０８】
図１９に示すように、被遠隔制御デバイス１２００は、処理ユニット１２０２、メモリ１２０４、電源ユニット１２０６、マルチメディアユニット１２０８、オーディオユニット１２１０、入力／出力（Ｉ／Ｏ）インターフェース１２１２、センサユニット１２１４、および、通信ユニット１２１６のうちの１つまたは複数を含んでもよい。
【０１０９】
処理ユニット１２０２は、通常は、表示、データ通信、マルチメディア操作および記録操作に関連する操作のような、被遠隔制御デバイス１２００の全般操作を制御する。処理ユニット１２０２は、上記方法の全部または一部のステップを実施させるように、指令を実行するための１つまたは複数のプロセッサ１２２０を含んでもよい。また、処理ユニット１２０２は、処理ユニット１２０２と他のユニットとの間のインタラクションを容易にするように、１つ又は複数のモジュールを含んでもよい。例えば、処理ユニット１２０２は、マルチメディアユニット１２０８と処理ユニット１２０２との間のインタラクションを容易にするように、マルチメディアモジュールを含んでもよい。
【０１１０】
メモリ１２０４は、各タイプのデータを記憶して被遠隔制御デバイス１２００での操作をサポートするように構成される。これらのデータは、例えば、被遠隔制御デバイス１２００で操作するための任意のアプリケーションもしくは方法の指令、各種類のデータ、メッセージ、ピクチャ、ビデオなどを含む。メモリ１２０４は、如何なる種別の揮発性もしくは不揮発性記憶装置またはそれらの組合せで実現されてもよい。例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１１１】
電源ユニット１２０６は、被遠隔制御デバイス１２００のユニットのそれぞれに電力を供給する。電源ユニット１２０６は、電源管理システム、１つまたは複数の電源、並びに、被遠隔制御デバイス１２００用の電力を生成、管理および配分するに関する他のユニットを含んでもよい。
【０１１２】
マルチメディアユニット１２０８は、前記被遠隔制御デバイス１２００とユーザとの間に１つの出力インターフェースを供給するスクリーンを含む。幾つかの実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、前記タッチあるいはスライド操作と関連する持続時間および圧力を更に検出することができる。
【０１１３】
オーディオユニット１２１０は、オーディオ信号を出力および／または入力するように構成される。例えば、オーディオユニット１２１０は、マイク（ＭＩＣ）を備え、被遠隔制御デバイス１２００が操作モード、例えば、発呼モード、記録モードおよび音声識別モードであるとき、マイクは、外部オーディオ信号を受信するように構成される。受信されたオーディオ信号は、更に、メモリ１２０４に格納される、または、通信ユニット１２１６を介して送信することができる。幾つかの実施例では、オーディオユニット１２１０は、オーディオ信号を出力するためのスピーカを更に含む。
【０１１４】
入力／出力インターフェース１２１２は、処理ユニット１２０２とペリフェラルインターフェースモジュールとの間でインターフェースを供給するものであり、前記ペリフェラルインターフェースモジュールは、キーボード、クリックホイール、ボタンなどであってもよい。
【０１１５】
センサユニット１２１４は、様々な側面での状態推定を被遠隔制御デバイス１２００に供給するための１つまたは複数のセンサを含む。例えば、センサユニット１２１４は、被遠隔制御デバイス１２００のオン／オフ状態、ユニットの相対位置を検出することができ、前記ユニットは、例えば、被遠隔制御デバイス１２００のディスプレイおよびキーパッドである。センサユニット１２１４は、更に、被遠隔制御デバイス１２００もしくは被遠隔制御デバイス１２００の１つのユニットの位置変更、ユーザと被遠隔制御デバイス１２００との接触の有無、被遠隔制御デバイス１２００の方位もしくは加速／減速および被遠隔制御デバイス１２００の温度変化を更に検出することができる。センサユニット１２１４は、如何なる物理的接触もないとき、近辺にある物体の存在を検出するための近接センサを含んでもよい。センサユニット１２１４は、更に、イメージングアプリケーションに使用される光センサ、例えばＣＭＯＳまたはＣＣＤ画像センサを含んでもよい。幾つかの実施例では、当該センサユニット１２１４は、更に、加速度センサ、ジャイロセンサ、磁気センサ、圧力センサまたは温度センサを含んでもよい。
【０１１６】
通信ユニット１２１６は、被遠隔制御デバイス１２００と他の機器間の無線または有線方式の通信ができるように構成される。被遠隔制御デバイス１２００は、通信規格に基づく無線ネットワーク、例えば、ＷｉＦｉ、２Ｇもしくは３Ｇ、またはそれらの組合せにアクセスすることができる。ある実施例では、通信ユニット１２１６は、外部ブロードキャスト管理システムからのブロードキャスト信号またはブロードキャスト関連情報をブロードキャストチャネルを介して受信する。ある実施例では、前記通信ユニット１２１６は、更に、短距離通信を容易にするように、ニアフィールド通信（ＮＦＣ）モジュールを含む。例えば、ＮＦＣモジュールは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【０１１７】
実施例では、被遠隔制御デバイス１２００は、リモコンをバインディングする処理方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。前記リモコンをバインディングする処理方法は、被遠隔制御デバイスがリモコンからの前記リモコンの識別情報を含むバインディング要求を受信するステップと、前記被遠隔制御デバイスが前記バインディング要求に基づいて、バインディング応答メッセージを生成するステップであって、前記バインディング応答メッセージが前記リモコンとバインディングするための認証情報を伴っているステップと、
前記被遠隔制御デバイスが前記リモコンに前記バインディング応答メッセージを送信して、前記リモコンに前記バインディング応答メッセージに基づいて前記被遠隔制御デバイスとの制御操作機能のバインディングを完成させるステップとを含む。
【０１１８】
実施例では、指令を含む非一時的コンピュータ読み取り可能な記憶媒体、例えば、指令を含むメモリ１２０４を更に提供し、上記指令が被遠隔制御デバイス１２００のプロセッサ１２２０によって実行されることで上述方法を実施させることができる。例えば、前記非一時的コンピュータ読み取り可能な記憶媒体は、ＲＯＭ、ランダムアクセスメモリ（ＲＡＭ）、ＣＤ−ＲＯＭ、磁気テープ、フロッピーディスクおよび光データ記憶機器などであってもよい。
【０１１９】
図２０は一実施例によるリモコン１９００を示すブロック図である。例えば、リモコン１９００は、サーバーとして提供されてもよい。図２０を参照して、リモコン１９００は、処理ユニット１９２２を含み、更に、一つまたは複数のプロセッサ、およびメモリ１９３２に代表されるメモリ資源を含む。当該メモリ資源は、処理ユニット１９２２の実行可能な指令、例えばアプリケーションプログラムを記憶する。メモリ１９３２に記憶されたアプリケーションプログラムは、１セットの指令に対応する各モジュールを１つまたは複数を含んでもよい。また、処理ユニット１９２２は、指令を実行することで、上述のリモコンをバインディングする処理方法を実行する。当該方法は、リモコンがバインディング操作命令を取得するステップと、前記リモコンがバインディング対象の被遠隔制御デバイスに前記リモコンの識別情報を含むバインディング要求を送信して、現在バインディング対象の前記被遠隔制御デバイスに前記バインディング要求に基づいてバインディング応答メッセージを生成させるステップであって、前記バインディング応答メッセージが前記リモコンとバインディングするための認証情報を伴っているステップと、前記リモコンが前記被遠隔制御デバイスから返送された前記バインディング応答メッセージを受信するステップと、前記リモコンが前記バインディング応答メッセージに基づいて前記被遠隔制御デバイスとの制御操作機能のバインディングを完成するステップとを含む。
【０１２０】
リモコン１９００は、更に、リモコン１９００の電源管理を実行するように構成される電源ユニット１９２６と、被遠隔制御デバイスとの間の通信を行うように構成された通信ユニット１９５０と、ユーザの操作などを収集するように構成された入力／出力ユニット１９５８とを含んでもよい。
【０１２１】
当業者は、明細書を考慮し、ここに公開された発明を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１２２】
本発明は以上に記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【図１】
2018509784.tif 000003
【図２】
2018509784.tif 000004
【図３】
2018509784.tif 000005
【図４】
2018509784.tif 000006
【図５】
2018509784.tif 000007
【図６】
2018509784.tif 000008
【図７】
2018509784.tif 000009
【図８】
2018509784.tif 000010
【図９】
2018509784.tif 000011
【図１０】
2018509784.tif 000012
【図１１】
2018509784.tif 000013
【図１２】
2018509784.tif 000014
【図１３】
2018509784.tif 000015
【図１４】
2018509784.tif 000016
【図１５】
2018509784.tif 000017
【図１６】
2018509784.tif 000018
【図１７】
2018509784.tif 000019
【図１８】
2018509784.tif 000020
【図１９】
2018509784.tif 000021
【図２０】
2018509784.tif 000022
【国際調査報告】
2018509784.tif 000023
2018509784.tif 000024
2018509784.tif 000025
2018509784.tif 000026